(57)【要約】【課題】専用のＵＩやＦＷを不要とし、画像読込部を備えていない画像表示機器でも、盗聴の危険性の少ない暗号化された情報の送受信を行うことができるようにするメモリカードを提供すること。【解決手段】メモリカード１０は、表示部８を備える画像表示機器に接続されて、情報の入出力を行うメモリカードであって、表示部に表示させるための複数の表示用データが予め記憶された記憶部１６と、画像表示機器と異なる他の画像表示機器と情報の送受信を行う通信部１７と、通信部を介して送受信する情報を暗号化するための鍵情報を表示用データに基づいて生成する鍵生成部１８と、記憶部に記憶された表示用データに対する画像表示機器からの操作指令があった場合に、操作指令の対象となる画像データに基づいて鍵生成部に鍵情報を生成させる制御部１８と、を備えることを特徴とする。【選択図】図３
2011130353.tif 000002
【特許請求の範囲】
【請求項１】
表示部を備える画像表示機器に接続されて、情報の入出力を行うメモリカードであって、
前記表示部に表示させるための複数の表示用データが予め記憶された記憶部と、
前記画像表示機器と異なる他の画像表示機器と情報の送受信を行う通信部と、
前記通信部を介して送受信する情報を暗号化するための鍵情報を前記表示用データに基づいて生成する鍵生成部と、
前記記憶部に記憶された前記表示用データに対する前記画像表示機器からの操作指令があった場合に、前記操作指令の対象となる画像データに基づいて前記鍵生成部に前記鍵情報を生成させる制御部と、を備えることを特徴とするメモリカード。
【請求項２】
前記表示用データに基づいて認証用ＩＤ情報を生成するＩＤ生成部をさらに備え、
前記制御部は、前記操作指令があった場合に、前記操作指令の対象となる画像データに基づいて前記ＩＤ生成部に前記認証用ＩＤ情報を生成させるとともに、前記通信部を介して前記他の画像表示機器との間で前記認証用ＩＤ情報の送受信を行わせ、前記ＩＤ生成部が生成した前記認証用ＩＤ情報と一致する認証用ＩＤ情報を送信してきた前記他の画像表示機器との間で認証ネットワークを構築することを特徴とする請求項１に記載のメモリカード。
【請求項３】
前記制御部は、前記操作指令があってから所定期間内に前記認証用ＩＤ情報の送受信を行った前記他の画像表示機器との間で認証ネットワークを構築することを特徴とする請求項２に記載のメモリカード。
【請求項４】
表示部を備える画像表示機器であって、
前記表示部に表示させるための複数の表示用データが予め記憶された記憶部と、
前記画像表示機器と異なる他の画像表示機器と送受信する情報を暗号化するための鍵情報を前記表示用データに基づいて生成する鍵生成部と、
前記記憶部に記憶された前記表示用データに対する前記画像表示機器からの操作指令があった場合に、前記操作指令の対象となる画像データに基づいて前記鍵生成部に前記鍵情報を生成させる制御部と、を備えることを特徴とする画像表示機器。
【請求項５】
表示部を備える画像表示機器であって、
前記画像表示機器と異なる他の画像表示機器と通信を行うための通信部と、
前記画像表示機器と異なる他の画像表示機器と送受信する情報を暗号化するための鍵情報を、前記表示部に表示された表示用データに基づいて生成する鍵生成部と、
前記表示部に表示された前記表示用データに対する前記画像表示機器からの操作指令があった場合に、前記操作指令の対象となる表示用データに基づいて前記鍵生成部に前記鍵情報を生成させる制御部と、を備えることを特徴とする画像表示機器。
【発明の詳細な説明】
【技術分野】
【０００１】
本発明は、メモリカードおよび画像表示機器に関する。
【背景技術】
【０００２】
従来、デジタルカメラや携帯型音楽プレイヤーなどには、画像を表示可能な表示部を備えるものがある。例えば、デジタルカメラであれば、撮影した画像を表示部に表示させて、撮影結果を確認したりすることができるし、携帯型音楽プレイヤーであれば、表示部に表示された音楽ファイルの一覧から再生する音楽ファイルを選択したりすることができる。以下、このような表示部を備える機器を画像表示機器という。
【０００３】
画像表示機器では、他の画像表示機器との間で情報の送受信を行って、画像データの受け渡しや、音楽ファイルの受け渡しが行われる場合がある。このように、画像表示機器の間で情報の送受信を行う場合には、送受信する情報が第３者に盗聴されてしまうおそれがある。
【０００４】
そこで、機器が備える画像読込部を用いて所定の画像情報を読み込み、その読み込んだ情報から暗号鍵を生成する技術が、例えば特許文献１に開示されている。この技術によれば、生成された暗号鍵を他の機器と交換するとともに、交換した暗号鍵で暗号化された情報を送受信することで、盗聴の危険性を抑えている。
【０００５】
しかしながら、特許文献１に開示の技術は、画像読込部を用いて所定の画像情報を読み込むので、画像読込部を備えていない機器に適用することが難しいという問題がある。また、他の機器との間で暗号鍵の交換を行うので、暗号鍵を交換する際に、その暗号鍵自体が第３者に盗聴されてしまえば、暗号化されて送受信される情報も容易に復号化されてしまうという問題がある。また、画像読み込みを行うための専用のＵＩ（Ｕｓｅｒ  Ｉｎｔｅｒｆａｃｅ）やＦＷ（Ｆａｒｍ  Ｗａｒｅ）、すなわち暗号化のための専用のＵＩやＦＷを機器が備えていなければならず、汎用性に劣るといった問題がある。
【先行技術文献】
【特許文献】
【０００６】
【特許文献１】特開２００７−３２４９２６号公報
【発明の概要】
【発明が解決しようとする課題】
【０００７】
本発明は、専用のＵＩやＦＷを不要とし、画像読込部を備えていない画像表示機器でも、盗聴の危険性の少ない暗号化された情報の送受信を行うことができるようにするメモリカードを提供することを目的とする。
【課題を解決するための手段】
【０００８】
本願発明の一態様によれば、表示部を備える画像表示機器に接続されて、情報の入出力を行うメモリカードであって、表示部に表示させるための複数の表示用データが予め記憶された記憶部と、画像表示機器と異なる他の画像表示機器と情報の送受信を行う通信部と、通信部を介して送受信する情報を暗号化するための鍵情報を表示用データに基づいて生成する鍵生成部と、記憶部に記憶された表示用データに対する画像表示機器からの操作指令があった場合に、操作指令の対象となる画像データに基づいて鍵生成部に鍵情報を生成させる制御部と、を備えることを特徴とするメモリカードが提供される。
【０００９】
また、本願発明の一態様によれば、表示部を備える画像表示機器であって、表示部に表示させるための複数の表示用データが予め記憶された記憶部と、画像表示機器と異なる他の画像表示機器と送受信する情報を暗号化するための鍵情報を表示用データに基づいて生成する鍵生成部と、記憶部に記憶された表示用データに対する画像表示機器からの操作指令があった場合に、操作指令の対象となる画像データに基づいて鍵生成部に鍵情報を生成させる制御部と、を備えることを特徴とする画像表示機器が提供される。
【００１０】
また、本願発明の一態様によれば、表示部を備える画像表示機器であって、画像表示機器と異なる他の画像表示機器と通信を行うための通信部と、画像表示機器と異なる他の画像表示機器と送受信する情報を暗号化するための鍵情報を、表示部に表示された表示用データに基づいて生成する鍵生成部と、表示部に表示された表示用データに対する画像表示機器からの操作指令があった場合に、操作指令の対象となる表示用データに基づいて鍵生成部に鍵情報を生成させる制御部と、を備えることを特徴とする画像表示機器が提供される。
【発明の効果】
【００１１】
本発明によれば、専用のＵＩやＦＷを不要とし、画像読込部を備えていない画像表示機器でも、盗聴の危険性の少ない暗号化された情報の送受信を行うことができるようになるという効果を奏する。
【図面の簡単な説明】
【００１２】
【図１】図１は、本発明の第１の実施の形態にかかるメモリカードを備えるデジタルカメラの外観を示す正面図である。
【図２】図２は、図１に示すデジタルカメラの外観を示す背面図である。
【図３】図３は、デジタルカメラとメモリカードの内部構成の概略を示すブロック図である。
【図４】図４は、表示部への画像データの表示例を示す図である。
【図５】図５は、デジタルカメラ同士で認証ネットワークを構築する手順を示すフローチャートである。
【図６】図６は、第１の実施の形態の変形例１に係るデジタルカメラとメモリカードの内部構成の概略を示すブロック図である。
【図７】図７は、第１の実施の形態の変形例２に係るデジタルカメラとメモリカードの内部構成の概略を示すブロック図である。
【図８】図８は、本発明の第２の実施の形態にかかるデジタルカメラの内部構成の概略を示すブロック図である。
【発明を実施するための形態】
【００１３】
以下に添付図面を参照して、本発明の実施の形態にかかるメモリカードを備える画像表示機器としてのデジタルカメラを詳細に説明する。なお、これらの実施の形態により本発明が限定されるものではない。
【００１４】
（第１の実施の形態）
図１は、本発明の第１の実施の形態にかかるメモリカードを備えるデジタルカメラの外観を示す正面図である。図２は、図１に示すデジタルカメラの外観を示す背面図である。図３は、デジタルカメラとメモリカードの内部構成の概略を示すブロック図である。
【００１５】
デジタルカメラ１は、被写体像を写真撮影し、撮影データをメモリカード内の記憶部１６に記憶して保存するものである。デジタルカメラ１は、筐体２、レンズ４、シャッタースイッチ６、表示部８、操作部９を備える。筐体２には、メモリカード１０を挿入可能な挿入部２ａが形成されている。
【００１６】
レンズ４は、筐体２の前面側に取り付けられて、被写体像を取り込む。シャッタースイッチ６は、筐体２の上面に取り付けられており、シャッタースイッチ６を押し込むことで、レンズ４から取り込まれた被写体像を撮影することができる。撮影された被写体像の画像データは、メモリカード１０が備える記憶部１６に記憶される。
【００１７】
表示部８は、レンズ４によって取り込まれた被写体像を表示する表示装置である。ユーザーは、表示部８に表示された被写体像を確認しながら写真撮影をすることができる。また、表示部８は、記憶部１６に記憶された被写体像の画像データを表示することができる。表示部８には、１枚の画像データが表示されたり、複数の画像データが並べて表示されたりする。ユーザーは、表示部８に表示された画像データを確認することで、撮影の出来映えなどの確認や、不用な画像データの削除などを行うことができる。
【００１８】
図４は、表示部８への画像データの表示例を示す図である。図４では、４つの画像データＡ〜Ｄが表示された状態を示す。操作部９は、表示部８での画像データの確認や削除を行う際に操作されるもので、複数のボタンを有して構成される。例えば、プレビューボタン９ａを押すことで、図４に示すように記憶部１６に記憶された画像データのうち複数の画像データが表示部８に表示される。この画像データは、被写体像の撮影によりメモリカード１０の記憶部１６に記憶された画像データや、予め記憶部１６に記憶されていた画像データである。そして、記憶部１６に記憶された画像データを削除する場合には、選択ボタン９ｂを操作して、削除したい画像データを表示部８上でハイライト表示させた状態で、削除ボタン９ｃを操作する。
【００１９】
図３に示すように、デジタルカメラ１は、内部にファイルシステム１２、メモリカードドライバ１４を備える。上述した、画像ファイルの削除操作が行われると、ファイルシステム１２は、メモリカードドライバ１４に画像データの削除指令（操作指令）を送る。メモリカードドライバ１４は、挿入部２ａに挿入されたメモリカード１０の制御を行う機能を有しており、ファイルシステム１２から受け取った、画像データの削除指令をメモリカード１０に対して送る。
【００２０】
メモリカード１０は、デジタルカメラ１の筐体２に形成された挿入部２ａに挿入して用いられる記憶装置である。メモリカード１０は、挿入部２ａに挿入されることで、デジタルカメラ１に接続されて、情報の入出力が可能となる。また、メモリカード１０は、デジタルカメラ１のような表示部８を備えた画像表示機器同士の間で、情報の送受信を可能とする認証ネットワークを構築する機能を有する。図３に示すように、メモリカード１０は、記憶部１６、無線通信モジュール（通信部）１７、内部コントローラ（鍵生成部）（制御部）（ＩＤ生成部）１８を備える。
【００２１】
記憶部１６には、画像データ等の各種情報が記憶される。記憶部１６は、例えば、不揮発性半導体メモリである。記憶部１６には、撮影された画像データとは別に、表示部８に表示させるための表示用データとして、複数の画像データが予め記憶されている。以下、予め記憶部に記憶された画像データを認証用画像データという。認証用画像データは、メモリカード１０に共通のデータとなっており、どのメモリカード１０にも同じ画像データが認証用画像データとして記憶されている。認証用画像データは、撮影された画像データと同様に、表示部８に表示させることができるデータ形式となっており、撮影された画像データと同様の手順で削除することができる。
【００２２】
無線通信モジュール１７は、デジタルカメラ１とは異なる他の機器との間で、無線で情報の送受信を行うためのものである。内部コントローラ１８は、記憶部１６や無線通信モジュール１７を制御する。内部コントローラ１８は、無線通信モジュール１７を制御して、メモリカード１０を備える他の機器、たとえば他のデジタルカメラとの情報の送受信を行わせる。送受信される情報としては、例えば、記憶部１６に記憶された画像データがある。内部コントローラ１８は、無線通信モジュール１７を介して送信される情報の暗号化や、受信した情報の復号化を行う。また、情報の暗号や複合に用いる暗号鍵を生成する。
【００２３】
内部コントローラ１８は、デジタルカメラ１のメモリカードドライバ１４から送られてきた操作指令が、記憶部１６に記憶された認証用画像データの削除指令であると判断すると、その削除指令の対象となる認証用画像データに基づいて暗号鍵を生成し、記憶部１６に記憶させる。例えば、予め定められたハッシュ関数を用いて、削除指令の対象となる認証用画像データからハッシュ値を生成し、この生成されたハッシュ値を暗号鍵とする。生成された暗号鍵は、情報の送受信を行う他の機器側には送信されない。そして、暗号鍵は、他の機器側も所持する共通鍵として用いられる。すなわち、他の機器側でも、デジタルカメラ１側で削除された認証用画像データと同じ認証用画像データに基づいて暗号鍵が生成されている必要がある。
【００２４】
また、内部コントローラ１８は、削除指令の対象となる認証用画像データに基づいて認証用ＩＤ情報を生成し、記憶部１６に記憶させる。例えば、暗号鍵の生成に用いられたハッシュ関数とは異なるハッシュ関数を用いて生成したハッシュ値を、認証用ＩＤ情報とする。
【００２５】
また、内部コントローラ１８は、生成した認証用ＩＤ情報を、無線通信モジュール１７を用いて、他の機器に送信するとともに、他の機器から送信された認証用ＩＤ情報を受信する。内部コントローラ１８は、自身が生成した認証用ＩＤ情報と、受信した認証用ＩＤ情報が一致する場合には、認証用ＩＤ情報を送信してきた他の機器との間で認証ネットワークを構築する。すなわち、他の機器側でも、デジタルカメラ１側で削除された認証用画像データと同じ画像データに基づいて認証用ＩＤ情報が生成されている必要がある。なお、認証用ＩＤ情報の送受信による認証の手続は、一定時間のみ行われるようになっており、例えば、内部コントローラが削除指令を受けてから１分以内や、認証用ＩＤ情報が生成されてから１分以内といった基準で定められる。
【００２６】
内部コントローラ１８は、デジタルカメラ１のメモリカードドライバ１４から、画像データの送信を行うように操作指令を受けた場合には、操作指令の対象となった画像データを暗号鍵で暗号化してから、無線通信モジュール１７によって他の機器に送信させる。また、内部コントローラ１８は、他の機器から送信された情報を、暗号鍵を用いて複合し、複合された情報を記憶部１６に記憶させる。
【００２７】
次に、上述したメモリカード１０を備える複数のデジタルカメラ１同士での認証ネットワークの構築手順について説明する。図５は、デジタルカメラ１同士で認証ネットワークを構築する手順を示すフローチャートである。
【００２８】
まず、ユーザーによって、記憶部１６に記憶された認証用画像データの１つに対して削除操作がなされる（ステップＳ１）。なお、認証ネットワークの構築のためには、複数のデジタルカメラ１で、略同時かつ同じ認証用画像データに対して削除操作がなされる必要がある。例えば、ユーザー同士で、どの画像を削除するか予め定めておき、同じタイミングで削除操作を行えばよい。共通の認証用画像データが削除されることで、共通の暗号鍵が生成され、暗号鍵の交換をせずに情報の暗号化や復号化が可能となる。
【００２９】
次に、各デジタルカメラ１が備えるメモリカード１０で、削除対象となった認証用画像データに基づいて暗号鍵と認証用ＩＤ情報が生成される（ステップＳ２）。そして、生成された認証用ＩＤ情報がデジタルカメラ１同士で、無線通信モジュール１７を介して送受信される（ステップＳ３）。送受信された認証用ＩＤ情報が一致したデジタルカメラ１間で、認証ネットワークが構築され（ステップＳ４）、認証ネットワークが構築されたデジタルカメラ間で送受信される情報は暗号鍵によって暗号化される（ステップＳ５）ようになる。
【００３０】
以上説明したように、無線通信モジュールを備えるメモリカード１０を、デジタルカメラ１に挿入することで、デジタルカメラ１同士で無線による情報の送受信が可能となる。したがって、通信モジュールを備えていない画像表示機器同士でも無線による情報の送受信を行うことができるようになる。
【００３１】
また、デジタルカメラ１で一般的に行われる操作、本第１の実施の形態では画像データの削除操作に基づいて、認証ネットワークが構築されるので、デジタルカメラ１側に認証ネットワーク構築用のＵＩやＦＷを用意する必要がない。したがって、デジタルカメラ１のコスト抑制にも寄与することができる。また、別途のＵＩを用いた特別な操作をせずに認証ネットワークを構築できるので、デジタルカメラ１での操作を簡単なものにすることができ、使い勝手の向上を図ることができる。
【００３２】
また、共通の認証用画像データに基づいて暗号鍵が生成されるので、わざわざ暗号鍵の交換をする必要がなくなり、暗号鍵が盗まれる危険性を低減することができる。これにより、認証ネットワークでの情報の送受信のセキュリティ強度を向上させることができる。
【００３３】
また、記憶部１６に記憶された認証用画像データを用いて暗号鍵や認証用ＩＤ情報が生成されるので、画像読込部を備えていない画像表示機器でも、上述したような認証ネットワークを構築することができる。本第１の実施の形態では、デジタルカメラ１を例示して説明したが、プリンターや携帯型音楽プレイヤーといった、一般的に画像読込部を備えていない画像表示機器であっても、メモリカード１０を用いることで、認証ネットワークの構築ができるようになる。これにより、例えば、プリンターに印刷させたい画像データをデジタルカメラからプリンターに向けて安全に送信することもできるし、携帯型音楽プレイヤー同士で音楽データの交換を安全に行うこともできる。
【００３４】
また、認証用ＩＤ情報の送受信が行われる期間が、所定期間内に限られるので、認証ネットワークの構築を意図していない画像表示機器で、同じ認証用画像データが異なるタイミングで削除操作された場合であっても、その画像表示装置との間では認証ネットワークが構築されない。したがって、意図していない画像表示機器との間で認証ネットワークが構築されてしまう危険性を抑えることができ、セキュリティ強度の向上に寄与することができる。
【００３５】
なお、本第１の実施の形態では、１つの認証用画像データに基づいて暗号鍵や認証用ＩＤ情報を生成しているが、複数の認証用画像データに基づいて暗号鍵や認証用ＩＤ情報を生成するように構成してもよい。例えば、記憶部１６に記憶された複数の認証用画像データの中から、２つの認証用画像データが連続して削除された際に、その削除対象となった２つの認証用画像データに基づいて暗号鍵や認証用ＩＤ情報が生成されるようにしてもよい。暗号鍵や認証用ＩＤ情報の元となる、画像データの数が増えることで、暗号鍵や認証用ＩＤ情報が意図していない画像表示機器と偶然一致してしまう確率を下げることができ、より一層のセキュリティ強度の向上を図ることができる。
【００３６】
また、暗号鍵の元となる認証用画像データと、認証用ＩＤ情報の元となる認証用画像データを共通にしているが、それぞれ異なる認証用画像データに基づいて生成されるように構成してもよい。例えば、最初に削除対象となった認証用画像データに基づいて暗号鍵を生成し、次に削除対象となった別の認証用画像データに基づいて認証用ＩＤ情報を生成するように構成してもよい。もちろんこの順番は逆であっても構わない。このように構成することで、意図していない画像表示機器と認証用ＩＤ情報が偶然一致してしまい、認証ネットワークが構築された場合であっても、暗号鍵が異なれば、送受信される情報の復号化ができないため、セキュリティ強度の向上を図ることができる。
【００３７】
また、暗号鍵の生成に、認証用画像データに加えて、削除指令がなされた時間情報を用いてもよい。このように、時間情報を加えることで、認証用ＩＤ情報や暗号鍵が、同時に削除操作がなされたデジタルカメラ１同士でのみ一致するようになり、単に偶然同じ認証用画像データの削除操作がなされた画像表示機器によって、情報が盗聴されてしまう危険性を減らすことができる。時間情報としては、例えば、画像の削除がなされた日付情報でもよいし、１２時５分といった時刻情報でもよい。
【００３８】
図６は、第１の実施の形態の変形例１に係るデジタルカメラとメモリカードの内部構成の概略を示すブロック図である。図６に示すように、本変形例１では、無線通信モジュール１７が、デジタルカメラ１側に備えられる。この構成では、メモリカード１０の内部コントローラ１８が、デジタルカメラ１側に備えられた無線通信モジュール１７を用いて、情報の送受信を行わせる。このように、メモリカード１０が無線通信モジュール１７を備える必要がないので、メモリカード１０のコストを抑えることができる。
【００３９】
図７は、第１の実施の形態の変形例２に係るデジタルカメラとメモリカードの内部構成の概略を示すブロック図である。図７に示すように、本変形例２では、記憶部１６がデジタルカメラ１側に備えられる。この場合、メモリカード１０の内部コントローラ１８は、デジタルカメラ１側の記憶部１６に対してなされた削除指令を検出する。そして、内部コントローラ１８は、削除対象となった認証用画像データをデジタルカメラ１の記憶部１６から読み出して、暗号鍵や認証用ＩＤ情報の生成を行う。このように、本変形例２のメモリカード１０は、認証用画像データが記憶された記憶部１６を備えるデジタルカメラ１に対して、通信機能を付加するための外部機器として提供することができる。
【００４０】
（第２の実施の形態）
図８は、本発明の第２の実施の形態にかかるデジタルカメラの内部構成の概略を示すブロック図である。上記実施の形態で説明したものと同様の構成には、同じ符号を付して詳細な説明を省略する。本第２の実施の形態では、上記第１の実施の形態でメモリカードが備えるものとして説明した、内部コントローラ１８を、デジタルカメラ２１が備えることを特徴とする。また、さらに記憶部１６、無線通信モジュール１７もデジタルカメラ２１が備える。
【００４１】
このように、記憶部１６、無線通信モジュール１７、内部コントローラ１８をデジタルカメラ２１が備えているので、わざわざ別途メモリカードを準備することなく、安全性の高い共通鍵を用いて、暗号化された情報の送受信を行うことができる。したがって、ユーザーにメモリカード１０を購入したり、挿入したりするといった手間をかけずに、安全な情報の送受信を実現することができる。
【００４２】
一方、上記第１の実施の形態では、メモリカード１０を用いることで無線通信モジュール１７等を備えていない画像表示機器でも情報の送受信を行えるようにすることができるとともに、暗号鍵を用いて安全性の高い情報の送受信を実現することができる。すなわち、上記第１の実施の形態の構成は、メモリカード１０の挿入が可能な画像表示機器であれば、安全性の高い情報の送受信を行わせることができるので、汎用性が高い。
【００４３】
なお、本第２の実施の形態では、記憶部１６、無線通信モジュール１７をデジタルカメラ２１が備える構成としたが、これらをメモリカードが備えるように構成しても構わない。また、第１の実施の形態で説明したような、メモリカードによって通信機能を備える画像表示機器と、第２の実施の形態で説明したような、自身で通信機能を備える画像表示機器との間でも、上述したような認証ネットワークの構築はもちろん可能である。
【符号の説明】
【００４４】
１，２１  デジタルカメラ、２  筐体、２ａ  挿入部、４  レンズ、６  シャッタースイッチ、８  表示部、９  操作部、９ａ  プレビューボタン、９ｂ  選択ボタン、９ｃ  削除ボタン、１０  メモリカード、１２  ファイルシステム、１４  メモリカードドライバ、１６  記憶部、１７  無線通信モジュール（通信部）、１８  内部コントローラ（制御部）（鍵生成部）（ＩＤ生成部）。
【図１】
2011130353.tif 000003
【図２】
2011130353.tif 000004
【図３】
2011130353.tif 000005
【図４】
2011130353.tif 000006
【図５】
2011130353.tif 000007
【図６】
2011130353.tif 000008
【図７】
2011130353.tif 000009
【図８】
2011130353.tif 000010